(57)【要約】【課題】密閉型電動圧縮機用ブラシレスモータの回転子を機械的に回転軸に固定して組込前着磁が容易にできるようにすること。【解決手段】回転子１の内径に１対のテーパ状のかみ合わせ構造を持つ非磁性材料からなるボス１６を配し、ボス１６の軸側のかみ合い部１６ｂの端部外周にネジ部を設けることによって、前記ネジ部を外部から締め上げる事ができ、回転子側のかみ合い部１６ａと軸側のかみ合い部１６ｂとが圧縮されて回転軸と直角方向の応力が生じ回転子と回転軸が固定される。【選択図】図１
2007295714.tif 000002
【特許請求の範囲】
【請求項１】
ブラシレスモータを構成する回転子が、積層された鉄板にマグネットを内装し、前記回転子内径に一対のテーパ状かみ合わせ構造を有する非磁性のボスを配し、前記ボスを用いて回転軸に機械的に固定されてなる密閉型電動圧縮機。
【請求項２】
回転子を固定するボスの回転軸側のかみ合わせ端部外周にネジ溝を設けてある請求項１記載の密閉型電動圧縮機。
【請求項３】
回転子を固定するボスの軸側のかみ合わせ端部外周にかぎ溝を設けてある請求項１記載の密閉型電動圧縮機。
【発明の詳細な説明】
【技術分野】
【０００１】
本発明は空気調和機や冷蔵庫等の冷凍機器に用いられる密閉型電動圧縮機に関するものである。
【背景技術】
【０００２】
従来の密閉型電動圧縮機では、ブラシレスモータの回転子と回転軸は焼バメ固定されるのが一般的であった。図８に従来の密閉型電動圧縮機の断面図を示す。図において、１は回転子で圧縮機のメカ部３の回転軸４にヤキバメ固定され、２は固定子で胴シェル６に絞まりバメ固定されている。５は軸受、７は上シェル、８は下シェル、９はアキュームレータ、１０は吐出管、１１は電源用端子である（例えば、特許文献１参照）。
【特許文献１】特開２００４−３６４４４４号公報
【発明の開示】
【発明が解決しようとする課題】
【０００３】
しかしながら、上記従来の固定方法では必ず回転子の一部又は全体を高温にする必要ある。この際、回転子に内装されている磁石自体も高温となるため、たとえば熱減磁を起こしやすいネオジウム系希土類磁石を使用する場合は、焼バメしてから着磁せざるを得なかった。また、焼きバメ着磁後に組み立てる場合、磁気吸引力により芯合わせが困難であり、エアーギャップの均一化が難しいという問題点があった。このため、通常は組立後に固定子巻き線を利用して着磁している。しかしながらこの場合には、巻き線に損傷を与える可能性や、着磁が十分できないという課題があった。
【０００４】
本発明はこのような従来の課題を解決するものであり、着磁を行った後の組立を容易にすることによって性能の優れた密閉型電動圧縮機を提供することを目的とする。
【課題を解決するための手段】
【０００５】
前記課題を解決するため、本発明の密閉型電動圧縮機は、回転子の内径に非磁性のボスを配し、このボスを１対のテーパ状のかみ合わせ構造からなる構成としたものである。
【発明の効果】
【０００６】
本発明の回転子の構成によって、固定子巻き線に損傷を与えることなく、十分な着磁が可能となる為、性能の優れた密閉型電動圧縮機が得られる。
【発明を実施するための最良の形態】
【０００７】
第１の発明は密閉型電動圧縮機に用いられるブラシレスモータを構成する回転子であって、マグネットを積層された鉄板に内装した構造からなる前記回転子の内径に、１対のテーパ状のかみ合わせ構造で構成されている非磁性のボスを配して、前記ボスの両端面を軸方向から圧縮して前記回転子を回転軸に固定できるようにした。
【０００８】
第２の発明は第１の発明のボスの１対のテーパ状のかみ合わせ構造の軸側のかみ合わせの端部外周にネジ溝を設け、前記ネジ溝にナットを取り付けて回転子側のかみ合せの端部を締め上げて、回転軸に固定できるようにした。
【０００９】
第３の発明は第１の発明のボスの１対のテーパ状のかみ合わせ構造の軸側のかみ合わせ端部にかぎ溝を設け、前記かぎ溝を用いて軸側のかみ合わせ部を外部より軸方向に固定し、前記固定側から回転子側のかみ合わせ部を軸方向に圧縮し固定できるようにした。
【００１０】
以下本発明の実施の形態について図面を参照して説明する。
【００１１】
（実施の形態１）
図１は本発明のブラシレスモータの回転子の第１の実施の形態を説明する組立断面図である。図において１２が回転子ヨーク、１３が内装された平板状のマグネット、１４が端板、１５がカシメピン、１６は固定用ボスでテーパ状のかみ合い部を有する１６ａおよび１６ｂの二つの部分で構成されている。
【００１２】
図２は固定用ボス１６の分解斜視図である。図２において１６ａが軸側テーパ部、１６ｂが回転子側テーパ部で、１６ａの端部外周面には雄ネジ溝１６ｃが設けてある。
【００１３】
図３乃至図６は第１の実施の形態における回転子の取り付け方法を説明する図である。
【００１４】
先ず、あらかじめ着磁を終えた回転子１の内径の両端面よりテーパ状のかみ合い部１６ａ、１６ｂを挿入する（図３）。次に、かみ合い部１６ａ端部の雄ネジ溝１６ｃに対応する雌ネジ溝１８ｃを設けた治具１８に仮固定する（図４）。次に、前記組立品を固定子１、メカ部３の組み込まれた胴シェル内の該メカ部３の回転軸４に挿入し、所定の位置に位置決め後、治具１８を回転させてネジを締め上げてテーパ状のかみ合い部１６ａ、１６ｂ軸方向に締め上げる（図５）。以上により、治具を取り除いても、テーパ部１６ａ、１６ｂが軸方向と径方向に変形しテーパ面と回転軸面及び回転子内径面との摩擦によって機械的に固定される（図６）。
【００１５】
以上の説明から分かるように、テーパ部１６ａ、１６ｂの両端から圧縮して固定しているので軸に対するスラスト方向の荷重は発生しない。図において、１９は治具１８のガイド兼回転子１と固定子２のギャップの保持治具である。
【００１６】
（実施の形態２）
図７は本発明のブラシレスモータの回転子の第２の実施の形態を説明する組立断面図である。前記第１の実施の形態との違いは固定用ボス２０のみである。
【００１７】
図８は固定用ボス２０の分解斜視図で、２０ａが軸側テーパ部、２０ｂが回転子側テーパ部で、２０ａの端部外周面にはかぎ溝２０ｃが設けてある。
【００１８】
図９乃至１２は第２の実施の形態の回転子の取り付け方法を説明する図である。
【００１９】
先ず、あらかじめ着磁を終えた回転子１の内径の両端面より前記テーパ状かみあい部２０ａ、２０ｂを挿入する（図９）。次に、かみ合い部２０ａの端部のかぎ溝２０ｃに対応するかぎ部２１ｃを設けた治具２１に仮固定する（図１０）。次に、前記組立品を固定子１、メカ部３の組み込まれた胴シェル内の該メカ部３の回転軸４に挿入し、所定の位置に位置決め後、前記固定治具２１の外周に沿って押し治具２２でテーパ部２０ｂを軸方向に圧縮する（図１１）。以上により、治具を取り除いても、前記テーパ部２０ａ、２０ｂが軸方向と回転子方向に変形しテーパ面と回転軸面及び回転子内径面との摩擦によって機械的に固定される（図１２）。第１の実施の形態と同様に、前記テーパ部２０ａ、２０ｂの両端から圧縮して固定しているので軸に対するスラスト方向の荷重は発生しない。
【００２０】
図１３は本発明の第１及び２の実施の形態のブラシレスモータの回転子を用いた密閉型電動圧縮機の断面図を示す。第１と第２の実施形態の違いは１６，２０のボス部のみである。
【００２１】
かかる構成にしたことによって、従来の焼バメ後着磁して組み立てる場合に対しては、
最も困難な軸心及びギャップ精度が得にくいという課題が、予めメカ部と固定子が該メカ部の回転軸の軸心に一致させて固定することによって、着磁後の回転子を該軸に挿入してもその精度は変わらず保持されることで解決できる。他方、組立後着磁の場合は、当然着磁条件の制約がなくなるため、十分な磁束を確保できる。
【００２２】
さらに、回転子固定用のボスを１対のテーパ状のかみ合わせ構造で構成して、該回転子を両端から締め上げる方法をとったことにより、軸に対するスラスト方向の荷重がかからない為、圧縮機のメカ部には一切損傷を与えることはない。もちろん、固定子巻き線を着磁に用いる必要が無い為、巻線に対する損傷も無くなり性能の良い、且つ品質にも優れた密閉型電動圧縮機を提供できる。ここで、前記固定用のボスを非磁性にしたのは、回転子から回転軸への磁束の漏れを抑えロス少なくするとともに、磁化により金属粉が勘合部に付着するのを防止する為である。
【産業上の利用可能性】
【００２３】
以上のように本発明の回転子は、回転軸に機械的に任意の位置に固定でき、且つ一方向から固定が可能で軸のスラスト方向への荷重が加わらないことから、モータの種類にかかわらず様々な密閉型電動圧縮機に応用可能である。
【図面の簡単な説明】
【００２４】
【図１】本発明実施の形態１にかかるブラシレスモータ回転子の組立断面図
【図２】本発明実施の形態１にかかる固定用ボスの分解斜視図
【図３】本発明実施の形態１にかかる回転子の取り付け方法を説明する図
【図４】本発明実施の形態１にかかる回転子の取り付け方法を説明する図
【図５】本発明実施の形態１にかかる回転子の取り付け方法を説明する図
【図６】本発明実施の形態１にかかる回転子の取り付け方法を説明する図
【図７】本発明実施の形態２にかかるブラシレスモータ回転子の組立断面図
【図８】本発明実施の形態２にかかる固定用ボスの分解斜視図
【図９】本発明実施の形態２にかかる回転子取り付け方法を説明する図
【図１０】本発明実施の形態２にかかる回転子取り付け方法を説明する図
【図１１】本発明実施の形態２にかかる回転子取り付け方法を説明する図
【図１２】本発明実施の形態２にかかる回転子取り付け方法を説明する図
【図１３】本発明実施の形態１または２にかかる密閉型電動圧縮機の断面図
【図１４】従来の密閉型電動圧縮機の断面図
【符号の説明】
【００２５】
１  回転子
２  固定子
３  メカ部
４  回転軸
５  軸受
６  胴シェル
７、８  上下シェル
９  アキューム
１０  吐出管
１１  電源端子
１２  固定子ヨーク
１３  マグネット
１４  端板
１５  カシメピン
１６、２０  ボス
１６ａ，１６ｂ，２０ａ，２０ｂ  テーパ部
１６ｃ  雄ネジ溝
１８ｃ  雌ネジ溝
１９，２１，２２  治具
２０ｃ  かぎ溝
２１ｃ  かぎ部
【図１】
2007295714.tif 000003
【図２】
2007295714.tif 000004
【図３】
2007295714.tif 000005
【図４】
2007295714.tif 000006
【図５】
2007295714.tif 000007
【図６】
2007295714.tif 000008
【図７】
2007295714.tif 000009
【図８】
2007295714.tif 000010
【図９】
2007295714.tif 000011
【図１０】
2007295714.tif 000012
【図１１】
2007295714.tif 000013
【図１２】
2007295714.tif 000014
【図１３】
2007295714.tif 000015
【図１４】
2007295714.tif 000016